(57)【要約】  本発明は、グリッド損失中に電力消費ユニット群に電力を供給するように、充電式バッテリー等の蓄電ユニットを使用する、風力タービンの動作に関する。風力タービンは、少なくとも第１の群及び第２の群に分類される複数の電力消費ユニットと、発電機を電気グリッドに接続するための第１の電気変換器と、発電機を蓄電ユニットに接続するための第２の電気変換器とを備える。グリッド損失の発生が検出されると、第１の電力消費ユニット群を動作させるのに十分な蓄電ユニットの電力を確保するように、発電機が動作する。【選択図】図５
2020523515.tif 000002
【特許請求の範囲】
【請求項１】
グリッド損失中に風力タービンを動作させる方法であって、該風力タービンは、複数のピッチ調整可能なローターブレードを含むローターを備え、該ローターは発電機を駆動するように構成され、前記風力タービンは、
蓄電ユニットと、
少なくとも第１の電力消費ユニット群と第２の電力消費ユニット群とに分類される複数の電力消費ユニットであって、前記第１の電力消費ユニット群は前記蓄電ユニットによって電力が供給される、複数の電力消費ユニットと、
前記発電機を電気グリッドに接続するための第１の電気変換器と、
前記発電機を前記蓄電ユニットに接続するための第２の電気変換器と、
を更に備え、該方法は、
前記グリッド損失の発生を検出することと、
前記グリッド損失の発生時に、前記発電機から前記第１の電気変換器を切断し、前記発電機に前記第２の電気変換器を接続することであって、前記発電機は減速した回転速度で動作する、切断及び接続することと、
を含む、方法。
【請求項２】
前記第１の電力消費ユニット群は、ピッチアクチュエーター、ベアリングの潤滑用の機器、ヨーアクチュエーター及び制御ユニットのうちの少なくとも１つを含む、請求項１に記載の方法。
【請求項３】
前記第２の電力消費ユニット群は、前記グリッド損失中に電力が供給されない、請求項１又は２に記載の方法。
【請求項４】
前記蓄電ユニットは充電式電力蓄積ユニットであり、前記発電機への前記第２の電気変換器の前記接続は、前記充電式電力蓄積ユニットの電圧レベルが第１の電圧閾値未満であることが検出されると更に調整される、請求項１〜３のいずれか一項に記載の方法。
【請求項５】
前記第２の電気変換器は、前記発電機の出力電圧レベルが第１の出力閾値未満であることが検出されると、前記発電機から切断され、前記発電機の前記出力電圧レベルが第２の出力閾値を上回ることが検出されると、前記発電機に接続され、前記第２の出力閾値は前記第１の出力閾値より大きい、請求項１〜４のいずれか一項に記載の方法。
【請求項６】
グリッド損失中、前記発電機の速度は、前記ピッチ調整可能なローターブレードを調整することによって制御される、請求項１〜５のいずれか一項に記載の方法。
【請求項７】
前記発電機の速度は、或る速度範囲内にあるように制御される、請求項６に記載の方法。
【請求項８】
グリッド損失中の前記ピッチ調整可能なローターブレードは、通常モード動作と比較して、より低速なピッチ角調整による低減モードで動作する、請求項１〜７のいずれか一項に記載の方法。
【請求項９】
油圧システムは、選択的に制御することができる１つ以上の逆止弁を備える、請求項１〜８のいずれか一項に記載の方法。
【請求項１０】
前記蓄電ユニットの電圧レベルが第２の電圧閾値未満であることが検出されると、前記ローターの回転を停止し、制御ユニットのスリープモードに入ることを更に含む、請求項１〜９のいずれか一項に記載の方法。
【請求項１１】
風速を検出することと、該風速を風速閾値と比較することと、該風速が前記風速閾値を上回ることが検出されると、前記ローターの回転を開始し、前記制御ユニットの前記スリープモードから出ることとを更に含む、請求項１０に記載の方法。
【請求項１２】
前記グリッド損失の発生が検出されると、前記ローターの回転を停止するように前記発電機の速度を減速させ、前記蓄電ユニットの電圧レベルが第１の電圧閾値を上回る間、前記蓄電ユニットにより前記第１の電力消費ユニット群に電力を供給し、前記蓄電ユニットの前記電圧レベルが前記第１の電圧閾値未満であることが検出されると、前記第１の電力消費ユニット群を動作させるのに十分な前記蓄電ユニットの電力を確保するように前記発電機を動作させる、請求項１〜１１のいずれか一項に記載の方法。
【請求項１３】
前記発電機は、減速した回転速度での動作のアイドリングモードで動作する、請求項１〜１２のいずれか一項に記載の方法。
【請求項１４】
前記第１の電気変換器又は前記第２の電気変換器を前記発電機に選択的に接続するように、制御可能なスイッチを動作させることを含む、請求項１〜１３のいずれか一項に記載の方法。
【請求項１５】
前記発電機の回転が停止するように低減しているとき、前記第２の電気変換器は前記発電機に接続される、請求項１〜１４のいずれか一項に記載の方法。
【請求項１６】
前記第２の電気変換器は、前記第２の電力消費ユニット群に電力を供給するためにＡＣ電力を発生させるように更に構成される、請求項１〜１５のいずれか一項に記載の方法。
【請求項１７】
前記第２の電気変換器はＡＣ昇圧回路を備える、請求項１〜１６のいずれか一項に記載の方法。
【請求項１８】
前記第２の電気変換器はＤＣ昇圧回路を備える、請求項１〜１７のいずれか一項に記載の方法。
【請求項１９】
前記第２の電気変換器は、整流回路とそれに続くＤＣ−ＤＣ昇圧回路とを備える、請求項１〜１８のいずれか一項に記載の方法。
【請求項２０】
前記第１の電気変換器は、前記風力タービンの定格出力を扱うように寸法が決められ、一方、前記第２の電気変換器は、前記風力タービンの前記定格出力の１０％未満を扱うように寸法が決められる、請求項１〜１９のいずれか一項に記載の方法。
【請求項２１】
前記発電機は永久磁石発電機である、請求項１〜２０のいずれか一項に記載の方法。
【請求項２２】
データ処理システム上で実行されると風力タービンを制御するように適合されたソフトウェアコードを含むコンピュータープログラム製品であって、請求項１〜２１のいずれか一項に記載の方法を実行するように適合されている、コンピュータープログラム製品。
【請求項２３】
発電機と、
複数のピッチ調整可能ローターブレードを含むローターであって、前記発電機を駆動するように構成されている、ローターと、
蓄電ユニットと、
少なくとも第１の電力消費ユニット群と第２の電力消費ユニット群とに分類される複数の電力消費ユニットであって、前記第１の電力消費ユニット群は前記蓄電ユニットによって電力が供給される、複数の電力消費ユニットと、
前記発電機を電気グリッドに接続するための第１の電気変換器と、
前記発電機を前記蓄電ユニットに接続するための第２の電気変換器と、
前記電気グリッドの電気的状態を検出するためのグリッドセンサーと、
グリッド損失の発生を検出するように構成され、該グリッド損失の発生が検出されると、前記発電機から前記第１の電気変換器を切断し、前記発電機に前記第２の電気変換器を接続し、前記発電機を減速した回転速度で動作させる、データ処理システムと、
を備える、風力タービン。
【発明の詳細な説明】
【技術分野】
【０００１】
本発明は、グリッド損失中に電力消費ユニット群に電力を供給するために蓄電装置を使用する風力タービンの動作に関する。
【背景技術】
【０００２】
ウィンドパークとも呼ばれる風力発電所は、通常、いくつかの風力タービンを備え、風力タービンの生成出力は、国の又は地方の電力網電気系統（又は単にグリッド）に電力を供給するようにネットワーク化される。風力タービンは、多くの制御ユニット、開閉機器、冷却系統、照明系統、アクチュエーター及び油圧系統を含む、複雑な電気系統を備え、こうした電気系統はそれら自体の専用電源を必要とする。この電源自体は、風力タービン施設の一部を形成する変圧器サブステーションを介して、グリッド電気系統から供給される。こうした電源は、「内部電源グリッド」と呼ばれる場合があり、その役割は、中電圧電源を管理し、風力発電所内の風力タービン及び電力消費ユニットの形態の補助機器に分配して、発電の高可用性を確保することである。
【０００３】
風力タービンがグリッドへの接続性を喪失するいわゆるグリッド損失が起きた場合、風力タービンの電気系統もその電力を喪失する。こうした電力損失から生じる問題を軽減するために、風力発電所に或る形態の補助電源を設けることが知られている。これは、バッテリーベースのシステムの形態をとることができ、又は、ディーゼル発電機に基づくことができる。例えば、特許文献１は、洋上ウィンドファームにおいてバックアップ電源としてディーゼル発電機が使用されるシステムについて記載している。
【０００４】
バックアップ電源システムは、風力発電所のタービンのいくつかの要素が、グリッド停電中であっても動作可能であり続けることを確実にすることができる。
【０００５】
特許文献２は、エネルギー蓄積装置が、グリッド損失中、発電機と電気グリッドとを架橋する主変換器のＤＣリンクから充電される、風力タービンシステムについて記載している。これには、グリッド損失中に主変換器を動作させる必要がある。
【先行技術文献】
【特許文献】
【０００６】
【特許文献１】米国特許出願公開第２０１３／０１７５８０１号
【特許文献２】米国特許出願公開第２０１１／０２９１４１６号
【発明の概要】
【０００７】
本発明は、この背景に対して考え出された。
【０００８】
グリッド損失状況において、風を利用して少なくとも一電力消費ユニット群に電力を供給して、グリッド損失中に一定レベルの機能性を確保することができる、風力タービンを達成することが有利である。
【０００９】
したがって、第１の態様において、グリッド損失中に風力タービンを動作させる方法であって、風力タービンは、複数のピッチ調整可能なローターブレードを含むローターを備え、ローターは発電機を駆動するように構成され、風力タービンは、
蓄電ユニットと、
少なくとも第１の電力消費ユニット群と第２の電力消費ユニット群とに分類されている複数の電力消費ユニットであって、第１の電力消費ユニット群は蓄電ユニットによって電力が供給される、複数の電力消費ユニットと、
発電機を電気グリッドに接続するための第１の電気変換器と、
発電機を蓄電ユニットに接続するための第２の電気変換器と、
を更に備え、本方法は、
グリッド損失の発生を検出することと、
グリッド損失の発生時、発電機から第１の電気変換器を切断し、発電機に第２の電気変換器を接続することであって、発電機は減速した回転速度で動作する、切断及び接続することと、
を含む、方法が提供される。
【００１０】
電力消費ユニット群を動作させるのに十分な電力を確保することにより、グリッド損失中に、重要な又は重大な電力消費ユニットは動作状態を維持することができる。電力供給を、グリッド損失中に発電機のエネルギーを変換することができる専用の第２の電気変換器に基づかせることにより、長期のグリッド損失であっても、タービンの動作を確保することができる。第１の電力消費ユニット群及び第２の電力消費ユニット群は、第１の補助ユニット群及び第２の補助ユニット群、又は第１の補助システム及び第２の補助システムとも呼ぶことができる。
【００１１】
グリッド損失の場合に、第１の電気変換器、すなわち主変換器を切断し、代わりに、第２の電気変換器、すなわち補助変換器を接続することが有利であり、その理由は、補助変換器は、相対的に著しく低い定格電力を扱うコンポーネントにより寸法を決めることができ、それにより、主変換器に電力を供給するためのエネルギーが不要であるため、電気エネルギーを発生させる必要が低減するためである。このように、蓄電ユニットを充電しない動作の状況において、主変換器に電力を供給する必要がないため、タービンは、無風において長期間持続することができる。
【００１２】
さらに、第１の電力消費ユニット群／蓄電ユニットに電力を供給するために補助変換器を使用することにより、主変換器は、グリッドに接続するように調整することができ、第１の電力消費ユニット群／蓄電ユニットに電力を供給することを考慮して、改良は不要である。したがって、既存の主変換器に対する変更が不要であるため、本発明の実施形態はまた、既存のタービンの容易な後付けもサポートする。
【００１３】
蓄電ユニットは、バッテリー、スーパーキャパシタ型蓄電ユニット又は他の蓄電ユニットとすることができる。こうした蓄電ユニットは、限られた容量を有し、有利には、蓄電ユニットにおける電力消耗を低減させるように、グリッド損失中は関連する電力消費ユニットにのみ電力を供給するべきである。第１の電力消費ユニット群は、ピッチアクチュエーター、ギアボックス及び／又はベアリングの潤滑用の機器、ヨーアクチュエーター及び制御ユニットのうちの少なくとも１つを含むように選択することができる。タービン設計、蓄電容量に応じて、第１の電力消費ユニット群により多いか又は少ない電力消費ユニットを含めることができる。例えば、第１の電力消費ユニット群は、選択された除湿器及び選択された加熱器も含むことができる。例えば、電圧レベル、センサー測定値、グリッド損失の持続時間又は他の要素に応じて、グリッド損失中に、選択された第１の電力消費ユニット群を交換することもできる。さらに、第１の電力消費ユニット群に、ローター速度センサー、風速センサー、グリッドセンサー等、様々なセンサーも含めることができる。風速はまた、制御ユニットにおいて実施される推定器によって求められる推定された風速として得ることもできる。
【００１４】
グリッド損失中、第１の電力消費ユニット群を動作させるために十分な蓄電ユニットの電力を確保するために、発電機は減速して動作させることができる。減速した発電機の動作は、発電機速度を減速させて停止することとともに、例えば、タービンを、ローターが低速に回転することができるアイドリングモードで動作させることにより、発電機を低ローター速度で動作させることを含むことができる。一実施形態では、発電機の回転が停止するように低減しているとき、第２の電気変換器は発電機に接続される。これに関して、停止は完全な停止とすることができるが、発電機端子において電力が全く又は実質的に全く生成されていないような低レベルでのローターのわずかな運動も含むことができる。発電機を減速して動作させることは、低速に回転している発電機の速度を、第２の電気変換器が第１の電力消費ユニット群に電力を供給するために所与の電力レベルを提供するのに十分である速度に設定することを含む。こうした電力レベルは、ローターが停止する１つ以上の期間と、ローターが低回転速度で動作する（アイドリング）１つ以上の期間とによって得ることができる。それにより、アイドリング動作しているタービンは、風力タービンの重大なコンポーネントにバックアップ電源を提供することができる。タービンを低ローター速度で動作させることは、自己電力供給動作モードでタービンを動作させることと言うことができる。一実施形態では、発電機は、ローター速度閾値より低い速度で回転しているように動作する。ローター速度閾値は、５０％、２５％、１０％、５％又は他の適切な速度閾値等、定格速度より低い。したがって、発電機は、５０％未満、２５％未満、１０％未満、５％未満、又は定格ローター速度未満の他の適切な速度等、減速した回転速度で動作することができる。
【００１５】
実施形態では、第２の電力消費ユニット群は、グリッド損失中に電力が供給されない。
【００１６】
第１の電力消費ユニット群及び第２の電力消費ユニット群は、ＤＣ接続ユニット又はＡＣ接続ユニットのいずれかとすることができる。実施形態では、第１の電力消費ユニット群及び第２の電力消費ユニット群は、別個の内部電源グリッドに接続することができる。したがって、第１の電力消費ユニット群は第１の内部電源グリッドに接続することができ、第２の電力消費ユニット群は第２の内部電源グリッドに接続することができる。一実施形態では、第１の電力消費ユニット群は、内部ＤＣ電源グリッドに接続されたＤＣ接続ユニットとすることができ、一方、第２の電力消費ユニット群は、内部ＡＣ電源グリッドに接続されたＡＣ接続ユニットとすることができる。
【００１７】
第１の電気変換器は、発電機を電気グリッドに接続するための「通常の」変換器であり、第１の電気変換器は、フルスケール変換器等の周波数変換器とすることができる。第２の電気変換器は、一実施形態では、発電機を蓄電ユニットに接続する別個の専用変換器である。実施形態では、第２の電気変換器は、グリッド損失の発生が検出されると発電機に選択的に接続される。これに加えて、グリッド損失中、第１の変換器を選択的に切断することができる。
【００１８】
発電機は、任意のタイプの発電機とすることができるが、永久磁石ベースの発電機を使用することが有利である可能性があり、その理由は、これらが、グリッド損失中に電流を誘導する電界を発生させる必要がないためである。
【００１９】
蓄電ユニットは、電気的蓄電ユニットとすることができる。一実施形態では、蓄電ユニットは、充電式電力蓄積ユニットである。発電機への第２の電気変換器の選択的な接続は、充電式電力蓄積ユニットの電圧レベルが第１の電圧閾値未満であることが検出されると、更に調整することができる。このように、蓄電ユニットの電力レベルが十分に高い限り、蓄電ユニットから電力を引き出すことができ、電圧レベルが閾値未満となるときにのみ、蓄電ユニットは充電される。
【００２０】
実施形態では、蓄電ユニットの電力容量は、５０ｋＷｈ〜８０ｋＷｈ等、１ｋＷｈ〜１００ｋＷｈの範囲である。具体的な容量は具体的なタービン設計に基づく。
【００２１】
発電機への第２の電気変換器の選択的な接続は、発電機の出力電圧レベルが検出されると更に調整することができる。一実施形態では、発電機への第２の電気変換器は、発電機の出力電圧レベルが第１の出力閾値未満であることが検出されると、発電機から切断され、発電機の出力電圧レベルが第２の出力閾値を上回ることが検出されると、発電機に接続され、第２の出力閾値は第１の出力閾値より大きい。第２の電気変換器が発電機に接続されている間、ローターは、電気負荷からトルクがかかるため、減速する。出力電圧が一定閾値未満であるとき、かかったトルクが発電機を過度に減速させるというリスクがある可能性がある。出力電圧が第２の出力閾値を上回るように増大していることが検出されると、第２の電力変換器を再度接続することができる。出力電圧が、第１の出力閾値より大きい第２の出力閾値を上回るまで第２の電気変換器が接続されないことを確実にすることにより、ヒステリシスが与えられ、第２の電気変換器の接続及び切断が頻繁に切り替えられていないことが確実になる。
【００２２】
発電機はローターによって駆動され、したがって、発電機の回転速度（発電機速度）は、風速によって影響を受ける。ローターブレードのピッチを調整することにより、発電機速度を制御することができる。これを達成するために、制御ユニットにおいて、閉ループ速度コントローラーを実装することができる。閉ループ速度コントローラーは、例えばＰＩＤ、ＰＩ又は同様のタイプのコントローラーを使用することにより、設定値ローター速度を達成するために、ローターブレードのピッチを調整するように実装される。したがって、グリッド損失中、発電機速度は、ピッチ調整可能なローターブレードを調整することによって制御することができる。
【００２３】
一実施形態では、発電機速度は、或る速度範囲内にあるように制御される。発電機速度を、特定の設定値ではなく、或る範囲内にあるように制御することにより、ピッチ挙動を低減させることができる。
【００２４】
実施形態では、制御はまた、風速検出又は風速推定にも基づくことができ、そこでは、ピッチ角は、風速に応じて設定される。これは、例えば、フィードフォワードコントローラーにおいてルックアップテーブルを使用することによって行うことができ、そこでは、風速が検出され、それに従ってピッチ角が設定される。
【００２５】
実施形態では、ローター速度は、定格ローター速度の１０％〜１５％等、定格ローター速度の５％〜２５％であるように制御される。ローター速度は、１０％±５％以内であるように等、所与の設定値を中心とする指定された範囲内であるように制御することができる。概して、ローター速度は、設定値により、又はこれらの上述した速度範囲内の設定値範囲によって制御することができる。具体的な目標ローター速度（範囲）は、第２の電気変換器の設計を含むタービン設計によって決めることができる。実施形態では、こうしたローター速度により、発電機の出力電力は、５０Ｖ  ＡＣ〜１００Ｖ  ＡＣとすることができる。
【００２６】
発電機からの低減した電力出力は、第２の電気変換器により、蓄電ユニットに対して好適な入力レベルまで昇圧することができる。こうした入力レベルは、４００Ｖ  ＡＣを含む、３００Ｖ  ＡＣ〜６００Ｖ  ＡＣの範囲とすることができる。
【００２７】
実施形態では、第２の電気変換器は、ＡＣ／ＡＣブーストコンバーター等の周波数変換器とすることができ、可変の電圧及び周波数入力から一定の電圧及び周波数ＡＣ出力を提供するように構成されている。周波数入力は、通常、１０Ｈｚ等、５Ｈｚ〜１５Ｈｚとすることができる。
【００２８】
第２の電気変換器は、実施形態では、発電機の単一３相巻線に接続することができる。
【００２９】
一実施形態では、グリッド損失中のピッチ調整可能なローターブレードは、通常モード動作と比較して低速なピッチ角調整による低減モードで動作する。
【００３０】
ピッチ調整可能なローターブレードを低減モードで動作させることにより、ピッチを動作させるのに必要な電力消費も低減させることができる。油圧ピッチ系統の場合、低減モードは、油圧系統が、油圧系統の一部のみを加圧するように縮小するモードとともに、漏出が低減するモードとすることができる。電気ピッチ系統の場合、低減モードは、電圧レベルがピッチアクチュエーターの通常電圧レベルより低いモード、又はいくつかの電気負荷の電源が切られるモードとすることができる。
【００３１】
一実施形態では、油圧系統は、選択的に閉鎖することができる１つ以上の逆止弁を備える。逆止弁は、ピッチが調整されない期間中は選択的に閉鎖され、ピッチが調整される期間中は選択的に開放されるように動作させることができる。逆止弁が閉鎖されると、油圧ポンプはオフにすることができる。
【００３２】
選択された逆止弁を閉鎖させることにより、油圧系統の漏出を除去するか又は制限することができる。ピッチアクチュエーターの動作中、一定の漏出が必要とされる場合があり、制御可能な逆止弁は、油圧系統の通常動作を確保するために開放することができる。
【００３３】
制御された逆止弁はまた、グリッド損失中に油圧系統の一部を閉鎖するためにも使用することができる。
【００３４】
発電機を動作させるための要件は、単に、発電機を適切な回転速度で動作させることとすることができるため、低速なピッチ調整で十分であり得る。
【００３５】
一実施形態では、充電式蓄電ユニットの電圧レベルが第２の電圧閾値未満であることが検出されると、ローターの回転が停止し、制御ユニットのスリープモードに入る。
【００３６】
一実施形態では、スリープモードにある間、風速は固定時間間隔で検出することができ、そこでは、風力タービンコントローラーは、アイドルモード動作又は通常モード動作をサポートすることができるか否かを評価するために、場合によっては部分的に低い電力消費モードで、ウェークアップするようにプログラムされる。
【００３７】
時間間隔は、固定の事前プログラムされた時間間隔とすることができる。しかしながら、実施形態では、時間間隔は、スリープモードに入る前にＳＣＡＤＡシステムから得られる天気予報情報に基づくことができる。時間間隔を天気予報に基づかせることにより、蓄電ユニットからの不要なエネルギー消耗を回避することができる。ＳＣＡＤＡシステムから得られる天気予報情報はまた、電圧レベルに対して適切な閾値を設定するのにも使用することができる。
【００３８】
一実施形態では、グリッド損失の発生が検出されると、ローターの回転が停止し、蓄電ユニットの電圧レベルが第１の閾値を上回る間、第１の電力消費ユニット群は、蓄電ユニットによって電力が供給される。したがって、蓄電ユニットは、通常の電力バックアップとして機能する。蓄電ユニットの電圧レベルが第１の電圧閾値未満であることが検出されると、自己電力供給動作が開始し、そこでは、発電機は、第１の電力消費ユニット群を動作させるのに十分な蓄電ユニットの電力を確保するように動作する。
【００３９】
グリッドが復旧すると、タービンは通常モード動作に戻る。
【００４０】
一実施形態では、発電機は、減速した回転速度での動作のアイドリングモードで動作する。依然として、こうしたアイドリングモードでは、第２の電気変換器は、エネルギー蓄積ユニットに、かつ例えば第２の電力消費ユニット群にも、電力を供給することができる。
【００４１】
特に、第１の電力変換器及び第２の電力変換器は、制御可能なスイッチを用いて発電機に接続することができ、本方法は、第１の電気変換器又は第２の電気変換器を発電機に選択的に接続するように、制御可能なスイッチを動作させることを含むことができる。
【００４２】
第２の電気変換器は、様々な方法で実施し、例えばグリッドレベル電圧で、ＤＣ電気出力及び／又はＡＣ電気出力を発生させるように構成することができる。特に、第２の電気変換器は、ＤＣ電気出力及びＡＣ電気出力の両方を発生させるように構成することができる。具体的には、第２の電気変換器は、第２の電力消費ユニット群に電力を供給するためにＡＣ電力を発生させるように構成することができる。
【００４３】
具体的には、第２の電気変換器は、ＡＣ昇圧回路及び／又はＤＣ昇圧回路を備えることができる。具体的な実施形態では、第２の電気変換器は、整流回路とそれに続くＤＣ−ＤＣ昇圧回路とを備える。
【００４４】
好ましくは、第１の電気変換器、すなわち主変換器は、風力タービンの定格出力を扱うように寸法が決められ、第２の電気変換器は、風力タービンの定格電力の１％未満等、１０％未満を扱うように寸法が決められる。したがって、第２の電気変換器は、必要な電力操作が制限されるため、より安価かつより効率的なコンポーネントを用いて実施することができる。
【００４５】
発電機が永久磁石発電機であることが好ましい場合があり、その理由は、こうした発電機は、特に、ＡＣ及び／又はＤＣ昇圧回路を備える第２の電気変換器を用いる実施形態において、動作のアイドルモードにおいて、電気グリッド接続なしに、第２の電気変換器によって取り込まれる電力を依然として発生させることができるためである。
【００４６】
更なる態様では、本発明は、コンピュータープログラム製品に関する。これは、コンピューター可読媒体に提供するか、又は通信ネットワークからダウンロード可能とすることができる。コンピュータープログラム製品は、例えばコントローラーの形態であるデータ処理システムに、このデータ処理システムにロードされた命令を実行させる、命令を含む。
【００４７】
概して、コントローラーは、１つ以上のプロセッサ、入力／出力インターフェース及びプロセッサによって実行することができる命令を記憶することができるメモリを備えるユニット又は機能ユニットの集まりとすることができる。
【００４８】
更なる態様では、本発明は、
発電機と、
複数のピッチ調整可能ローターブレードを含むローターであって、発電機を駆動するように構成されている、ローターと、
蓄電ユニットと、
少なくとも第１の電力消費ユニット群と第２の電力消費ユニット群とに分類される複数の電力消費ユニットであって、第１の電力消費ユニット群は蓄電ユニットによって電力が供給される、複数の電力消費ユニットと、
発電機を電気グリッドに接続するための第１の電気変換器と、
発電機を蓄電ユニットに接続するための第２の電気変換器と、
電気グリッドの電気的状態を検出するためのグリッドセンサーと、
グリッド損失の発生を検出するように構成され、グリッド損失の発生が検出されると、発電機から第１の電気変換器を切断し、発電機に第２の電気変換器を接続し、発電機を減速した回転速度で動作させる、データ処理システムと、
を備える、風力タービンに関する。
【００４９】
包括的には、本発明の種々の態様は、本発明の範囲内で可能な方法で組合せ及び結合することができる。本発明のこれらの態様、特徴、及び／又は利点並びに他の態様、特徴、及び／又は利点は、以下に記載する実施形態を参照して明らかとなるとともに説明される。
【００５０】
本発明の実施形態は、図面を参照して単に例として記載する。
【図面の簡単な説明】
【００５１】
【図１】ナセルハウジング内部の要素例と合わせて風力タービンの要素の一実施形態を概略的に示す図である。
【図２】第２の電気変換器を備える一実施形態を含む、本発明の一実施形態の要素を概略的に示す図である。
【図３】第２の電気変換器の動作サイクルの一例を示す図である。
【図４】風速に応じたピッチ角設定の一例を示す図である。
【図５】本発明の実施形態による風力タービンの動作のフローチャートである。
【発明を実施するための形態】
【００５２】
図１は、ナセルハウジング３内部の要素例と合わせて風力タービン１の要素の一実施形態を概略的に示す。風力タービンは、発電機２を駆動するように機械的に接続されているピッチ調整可能なローターブレード６を備える。発電機２は、第１の電気変換器及び第２の電気変換器を含む電気コンポーネント４に接続されている。また、複数の電力消費ユニット７を概略的に示す。図示しないが、風力タービンは、任意選択的に、ギアボックスとともに、更なる電気及び機械コンポーネントを備えることができる。
【００５３】
電力消費ユニットのうちの１つは制御ユニット５である。制御ユニットは、プロセッサ及びメモリを備える少なくとも１つの中央コントローラーを含む複数の要素を更に備えることができ、プロセッサは、メモリに記憶された命令に基づいて計算タスクを実行することができるようになっている。制御ユニットを単一のエンティティとして示すが、実施形態では、位置及び機能の両方を分散させることができる。通常動作時、風力タービンコントローラーは、風力タービンが要求された電力出力レベルを発生させるのを確実にする。これは、ピッチ角及び／又は（第１の）変換器の電力抽出を調整することによって得られる。
【００５４】
図２は、本発明の一実施形態の要素を概略的に示す。
【００５５】
この図は、複数のピッチ調整可能なローターブレード６を含むローター２０を示し、ローターは、発電機Ｇを駆動するように構成されている。風力タービンは、蓄電ユニット２１と、少なくとも第１の電力消費ユニット群２２と第２の電力消費ユニット群２３とに分類される複数の電力消費ユニット７とを更に備える。第１の電力消費ユニット群は、蓄電ユニット２１によって電力が供給される。図示する実施形態では、第２の群は、電気グリッド２４によって電力が供給される。電気コンポーネント４は、発電機Ｇを電気グリッド２４に接続するための第１の電気変換器２５を含む。こうした電気変換器は、通常、ＤＣリンクによって接続された機械側変換器ＭＳＣとグリッド側変換器ＧＳＣとを備える。第１の電気変換器に加えて、第２の電気変換器２６も示す。第２の電気変換器２６は、蓄電ユニット２１に発電機Ｇを接続する。
【００５６】
図２は、グリッドの状態を検出することができるグリッド検出器２７を更に示す。制御ユニット５は、グリッド損失の発生が検出されると、第１の電力消費ユニット群を動作させるのに十分な蓄電ユニットの電力を確保するように動作するよう発電機に命令するように実施される。
【００５７】
制御ユニット５に加えて、第１の電力消費ユニット群２２は、ピッチアクチュエーターと、ベアリングの潤滑用の機器と、ヨーアクチュエーターと、選択された除湿器及び選択された加熱器と、選択された油圧ポンプと、制御可能な逆止弁とを更に含むことができる。
【００５８】
第２の電力消費ユニット群２３は、揚力、照明、冷却、加熱、換気、油圧ポンプ等のための電源等のユニットを備えることができる。
【００５９】
蓄電ユニット２１は、通常、ＤＣ電力を出力し、第１の電力消費ユニット群は、通常ＤＣ駆動ユニットであり、一方、第２の電力消費ユニット群は、ＡＣ駆動ユニットとすることができる。少なくとも図示する実施形態では、第２の電力消費ユニット群は、適切な変圧器機器（図示せず）を介してグリッド接続されている。したがって、蓄電ユニットは、ＡＣ入力及びＤＣ出力を備えることができる。蓄電ユニットは充電式バッテリーとすることができ、ＡＣ入力はバッテリー充電器２００への入力である。蓄電ユニットは、複数の充電式電池２０１を備えることができる。
【００６０】
図示する実施形態では、グリッド損失時、第１の電力消費ユニット群は蓄電ユニットによって電力が供給され、一方、第２の電力消費ユニット群は電力が供給されない。
【００６１】
図示する実施形態では、第２の電気変換器は、グリッド損失の発生が検出されると発電機に選択的に接続することができるように、スイッチ２８を介して発電機に接続されている。発電機及び／又は変換器のタイプに応じて、グリッド損失中に第１の電気変換器を選択的に切断することができることが有利である可能性がある。これは、スイッチ２９によって行うことができる。
【００６２】
第２の電気変換器は、可変の電圧及び周波数入力から一定の電圧及び周波数ＡＣ出力を提供するように構成されているＡＣ／ＡＣブーストコンバーターとすることができる。ＡＣ／ＡＣブーストコンバーターは、例えば、減速して回転している発電機からの１０Ｈｚでの６４Ｖ  ＡＣ入力を、蓄電ユニットに好適な４００Ｖ  ＡＣ出力に変換するように構成することができる。これに関して、ＡＣ／ＡＣブーストコンバーターは、電圧及び周波数双方の一定の入力範囲を許容するように構成することができる。
【００６３】
図示する蓄電ユニットは充電式電力蓄積ユニットであり、この場合、第２の電気変換器２６の出力は、蓄電ユニットを充電するのに使用され、蓄電ユニットは、第１の電気消費ユニット群の電力供給により電力が消耗される。
【００６４】
一実施形態では、発電機への第２の電気変換器の選択的接続は、充電式電力蓄積ユニットの電圧レベルが第１の電圧閾値未満であることが検出されると、更に調整される。蓄電ユニットの充電は、トリクル充電によって得ることができる。
【００６５】
一実施形態では、発電機の出力電圧レベルは、発電機出力が一定レベルを上回る場合に第２の電気変換器のみが発電機に接続されるのを確実にするようにモニタリングされる。
【００６６】
通常動作中、すなわちグリッドが存在するとき、第２の電気変換器２６は切断され、蓄電装置２１はグリッドを介して充電される。これに関して、グリッド２４と蓄電装置２１との間の２つのスイッチが接続される。さらに、こうした充電を可能にするために、グリッドと蓄電装置との間に更なる電気機器を挿入することができる。こうした更なる機器は図示しないが、当業者は適切な機器を選択することができる。
【００６７】
図３は、第２の電気変換器の動作サイクルの一例を示し、第２の電気変換器が、第１の出力閾値ＯＴ１未満の発電機の出力電圧レベルでは切断され、第２の閾値ＯＴ２を上回る発電機の出力電圧レベルでは接続されることを示す。
【００６８】
グリッド損失中、発電機速度は、ピッチ調整可能なローターブレードを調整することによって制御される。風速によって決まるピッチ角設定の一例を図４に示す。
【００６９】
１つの実施形態では、風速は、自己電力供給モードが開始するときに測定又は推定される。ここで、初期ピッチ角は、図４に示すような事前定義されたピッチ角に従って設定される。グリッド損失が続くに従い、発電機の速度制御を介して、速度が適切なレベルに又は適切な範囲内にあり続けるのを確実にするように、ピッチ角を制御することができる。通常、公称ローター速度のおよそ約１０％。図４に示すグラフは、通常、制御ユニットにおけるルックアップテーブルとして実装することができる。代替実施形態では、ローター速度はモニタリングされない。代わりに、ピッチ角は風速に従って設定される。第２の電気変換器が速度及び周波数の大きい変動を許容することができる場合、発電機の速度制御は不要である可能性がある。
【００７０】
本発明の実施形態は、強風の状況であっても第１の電力消費ユニット群を動作可能状態で維持することができる。一定の風速を上回ると、タービンの電源を遮断する必要がある場合があるが、ローターを完全に停止する必要があるほど風が強い期間は、通常、蓄電ユニットが第１の電力消費ユニット群の動作をサポートすることができる期間より短い。
【００７１】
図５は、本発明の実施形態による風力タービンの動作のフローチャートを示す。
【００７２】
通常モード動作（５０）において、グリッドはモニタリングされ、例えばグリッド検出器２７を用いてグリッド損失が検出されると（５１）、タービンローターは最初に停止し（５２）、これは、ローターブレードをフェザーリングする、すなわち、ブレードを通常約９０度のそれらのフェザーリング位置まで回転させることにより、行われる。タービンが停止すると、蓄電ユニット２１の電圧レベルは、通常、公称レベルにあり、通常、何時間も、第１の電力消費ユニット群の電力供給を可能にする。オフグリッド状況にある間、グリッドが利用可能になった際に通常動作を再開することができるように、グリッドは連続的にモニタリングされる（５３）。同時に、蓄電ユニットの電圧レベルもモニタリングされる（５４）。蓄電ユニットの電圧レベルが第１の電圧閾値を上回る間、タービンは停止したままであり、第１の電力消費ユニット群は、蓄電ユニットによって電力が供給されたままである。蓄電ユニットの電圧レベルが第１の電圧閾値未満になったことが検出されると、自己電力供給モードに入り（５５）、第１の電力消費ユニット群を動作させるのに十分な蓄電ユニットの電力を確保するために、発電機を減速して動作させる。
【００７３】
風のエネルギーが蓄電ユニットをトリクル充電するのに十分である限り、自己電力供給モードを維持することができる。風速は、常に一定レベルを上回る必要はないが、少なくとも、蓄電ユニットの電圧レベルを最低閾値、すなわち第２の電圧閾値を上回るように維持するのに十分な風の期間が、存在する必要がある。
【００７４】
充電式電力蓄積ユニットの電圧レベルが第２の電圧閾値未満となったことが検出されると、ローターの回転が停止し、タービンのスリープモードに入る。
【００７５】
スリープモード動作（５７）において、一実施形態では、ローターを停止することに加えて、第１の電力消費ユニット群、又は少なくとも第１の電力消費ユニット群の下位群が、蓄電ユニットから切断され、ウェークアップ回路のみに電力が供給される。ウェークアップ回路は、設定された時間間隔で、風速を検出しその風速を風速閾値と比較するように制御ユニット５又は制御ユニット５の一部をウェークアップさせる、単純なタイマー回路とすることができ、風速が第２の風速閾値を上回ることが検出されると、スリープモードは終了することができる。代替実施形態では、風速は、スリープモード中にも連続的にモニタリングすることができ、風速が十分に高いことが検出されると、自己電力供給モードに再度入る。風速が安定していることを確実にするために、風速が、長期間、風速閾値を上回っていたことを確実にするように、ウェークアップ回路を設定することができる。
【００７６】
グリッドが復旧した場合、通常モードが再開され、一方、グリッドが依然として機能していない場合、自己電力供給モードに入る。
【００７７】
一実施形態では、ウェークアップ回路の代わりとして、タービンはまた、例えばＳＣＡＤＡシステムを介して、手動再始動されるようにも構成することができる。
【００７８】
一実施形態では、グリッド損失が検出されるとタービンが直接自己電力供給モード５５に入るように、ステップ５２、５４を省略することができる。
【００７９】
実施形態では、例えば、制御システムのモニタリングモジュールによって、又はＳＣＡＤＡシステムへのデータ接続を介して、蓄電ユニットの放電率をモニタリングすることができる。エネルギー蓄積装置の高速放電時には、移動式充電するようにサービス担当者に対して通知することができる。概して、蓄電ユニットの充電レベルのステータスは、例えばＳＣＡＤＡを介して、アイドルモード中にサービス担当者に連絡して、サービス担当者が問題のある状況に対応することができることを確実にすることができる。
【００８０】
本発明の実施形態例は、添付の特許請求の範囲において定義される本発明の範囲を限定するようにではなく、単に例示の目的で説明した。
【図１】
2020523515.tif 000003
【図２】
2020523515.tif 000004
【図３】
2020523515.tif 000005
【図４】
2020523515.tif 000006
【図５】
2020523515.tif 000007
【国際調査報告】
2020523515.tif 000008
2020523515.tif 000009